(57)【特許請求の範囲】
【請求項１】
水道管路（Ｐ）から引き出される排水管（２）の排出口（２ａ）に着脱可能に取付けられ、前記排出口（２ａ）からの排出水に含まれる夾雑物を捕捉する捕集部材を備えた夾雑物回収装置において、
前記捕集部材は、可撓性を有し内外を貫通する透孔（１２）を有する袋部材（１０）と、凹状を成す金属製のポケット部（２３）を有するストレーナ（２０）とを備え、前記ポケット部（２３）には内外を貫通する透孔（２２）が形成されて前記袋部材（１０）が排出水の水圧で破れないように前記ポケット部（２３）の内面に沿って当てがわれて、そのポケット部（２３）の開口縁部（２１）に、キャップ（２５）の一端に設けた嵌合部（２５ａ）が嵌め込まれて、そのキャップ（２５）の嵌合部（２５ａ）と前記ポケット部（２３）の内面との間で前記袋部材（１０）の開口縁部（１１）を挟み込むように固定され、前記キャップ（２５）の他端が前記排水管（２）の排出口（２ａ）に接続されていることを特徴とする夾雑物回収装置。
【発明の詳細な説明】
【技術分野】
【０００１】
この発明は、水道管等の管路の水に混入した夾雑物を捕捉し回収する装置に関するものである。
【背景技術】
【０００２】
地中に埋設された水道管には、補修工事等に伴って土砂などの夾雑物が混入することがある。この夾雑物は、一般に、水道管の本管から立ち上がる枝管に接続された消火栓を開いて水道水と共に管外に排出したり、あるいは、本管の管底付近から水平方向に延びる排泥管を介して水道水と共に管外に排出することにより除去している（例えば、特許文献１参照）。
【０００３】
また、近年、水道ユーザーの水質への関心の高まりに伴い、水道管の水に介在する夾雑物を調査する機会が増えている。
調査のため、夾雑物を捕捉する方法としては、例えば、図４又は図５に示すように、消火栓桝７内の消火栓５に取付けたホース２から水を地上の排水箇所１５へと導き、そのホース２の先端に、水を通過させて夾雑物を通過させない捕集網を取付ける場合が多い。その捕集網としては、金属製のストレーナや、あるいは繊維製の網等が用いられる（例えば、特許文献２参照）。
【特許文献１】特開２０００−３１４１５６号公報
【特許文献２】特開平７−２８６３３９号公報
【発明の開示】
【発明が解決しようとする課題】
【０００４】
図４に示す金属製のストレーナを使用した夾雑物回収装置１は、金属製であるため丈夫であるが、重量や嵩が大きいという問題がある。ストレーナの重量や嵩が大きいと、その着脱作業は重労働となるので、着脱に必要な作業時間が長くなる。
このため、流速条件、あるいは捕捉する夾雑物の粒径など諸条件を変えて回収作業を行う際には、目の粗さが異なる複数のストレーナを用意する必要があり、その複数のストレーナを順に着脱して回収作業を行うためには、相当な時間を要することとなる。したがって、夜間等の限られた時間内に、短時間で作業を行うには不向きである。
【０００５】
この点、図５に示す繊維製の網を使用した夾雑物回収装置１によれば、網は可撓性があり重ねて保管できるので、持ち運びが便利である。また、軽いのでそのホースへの着脱も容易であるから、目の粗さが異なる複数の網を用意してそれらを順に着脱しても、比較的短時間での回収作業が可能である。
しかし、網は、金属製のストレーナのように剛性が高くないので、流速が速くなれば破れる可能性がある。
【０００６】
そこで、この発明は、着脱が容易で、且つ流速が速くても破れない夾雑物回収装置とすることを課題とする。
【課題を解決するための手段】
【０００７】
上記の課題を解決するために、この発明は、排出水中の夾雑物を捕捉する捕集部材を、可撓性のある袋状の部材と、凹状を成す金属製の部材との二重構造として、そのそれぞれに透孔を設けたものである。
このように捕集部材を二重構造とすれば、金属製の部材は丈夫なので可撓性のある袋状の部材が破れにくくなる。また、流速条件、あるいは捕捉する夾雑物の粒径など諸条件を変えて回収作業を行う際には、袋状の部材のみを別のものに交換すれば金属製の部材は共用できるので、その着脱が容易であり短時間での夾雑物回収作業が可能となる。
【発明の効果】
【０００８】
この発明は、排出水中の夾雑物を捕捉する捕集部材を、可撓性のある袋状の部材と、凹状を成す金属製の部材との二重構造として、そのそれぞれに透孔を設けたので、流速が速くても破れない夾雑物回収装置とすることができる。
また、袋状の部材のみを交換すれば金属製の部材は共用できるので、着脱が容易で短時間での夾雑物回収作業が可能となる。
【発明を実施するための最良の形態】
【０００９】
この発明の実施形態として、水道管路から引き出される排水管の排出口に着脱可能に取付けられ、前記排出口からの排出水に含まれる夾雑物を捕捉する捕集部材を備えた夾雑物回収装置において、前記捕集部材は、可撓性を有し内外を貫通する透孔を有する袋部材と、凹状を成す金属製のポケット部を有するストレーナとを備え、前記ポケット部には内外を貫通する透孔が形成されて前記袋部材が前記ポケット部の内面に沿って当てがわれて、前記袋部材の開口縁部及び前記ポケット部の開口縁部がそれぞれ前記排出口に固定される構成を採用した。
【００１０】
上記の構成において、袋部材の透孔の内径をポケット部の透孔の内径よりも小さくすることが望ましい。このようにすれば、袋部材の透孔の内径により、排出水の流速及び捕捉される夾雑物の粒径が決定されるので、回収する夾雑物の回収条件設定が行いやすい。
【００１１】
また、上記ポケット部は、その奥部に向かうにしたがって徐々に細くなる構成を採用することができる。
一般に、液体中の異物を網等で捕捉する際に、その網等が奥部に向かうにしたがって先細りの形状であれば、異物はその奥部に集まりやすいので、捕捉した夾雑物を効率的に回収することができる。
上記の構成において、ポケット部は金属製であるので、いかなる形状の袋部材であってもその袋部材をポケット部の内面に沿って当てがえば、袋部材もその内面形状に沿って同じ形状に馴染むように変形する。このため、その袋部材を、先細りの形状に維持することができ、捕捉した夾雑物を効率的に回収することができるようになる。
【実施例】
【００１２】
一実施例を図面に基づいて説明する。この実施例は、図１に示すように、地中に掘り下げられた消火栓桝７内において、水道管Ｐに設けられた排出装置６から引き出されたホース（排水管）２により、水道管Ｐ内の夾雑物を水とともに地上の排水箇所１５へと導く際に、そのホース２の先端に取付けられる夾雑物回収装置１である。
【００１３】
上記排出装置６は、消火栓５とともに上記消火栓桝７内に設けられ、水道管Ｐから立ち上がる分岐管３に、補修弁４ａ及び三方口短管４ｂを介して取付けられている。三方口短管４ｂは、下部開口部と上部開口部とを結ぶ直立管路と、その直立管路の中途から別れて別に直立する分岐開口部に通じる分岐管路の２管路を備え、その直立管路の上部開口部上に前記排出装置６が、また、分岐管路の分岐開口部に前記消火栓５が固定されている。
【００１４】
排出装置６の構成は、上記分岐管３の本管部にまで深く挿入可能な挿入管６ａと、その挿入管６ａを昇降するため地上より操作可能なハンドル９、そのハンドル９の回動を前記挿入管６ａの昇降運動に転換する挿入ロッド６ｂ、挿入ロッド６ｂの先端を軸支する上部ボックス６ｃ、上部ボックス６ｃに上端を係止し下端を下部アダプタ６ｄに係止する外管６ｅよりなる垂直部分と、前記上部ボックス６ｃに取り付けた排出バルブ８、および排出バルブ８に着脱自在に取付けられたホース２よりなる。
【００１５】
夾雑物回収装置１は、前記ホース２の排出口２ａに着脱可能に取付けられ、前記排出口２ａからの排出水に含まれる夾雑物を捕捉する捕集部材を備えている。
その捕集部材は、図２に示すように、可撓性を有し内外を貫通する透孔１２を有する袋部材１０と、凹状のポケット部２３を有する金属製のストレーナ２０との二重構造で構成されている。
【００１６】
上記袋部材１０は、可撓性のある網目状の繊維で構成され、開口縁部１１を除く袋状の部分全体に内外を貫通する多数の透孔１２を有するものである。袋部材１０の素材が網目状の繊維であるので、各透孔１２は同一の内径に形成されており、また、その透孔１２は、前記開口縁部１１近くから底部１３に至るまで均等の間隔で配置されている。
また、前記開口縁部１１には紐１４が挿通されており、その紐１４を引けば、袋部材１０の開口量を調整することができるようになっている。
【００１７】
上記ストレーナ２０は、奥部２４に向かうにしたがって徐々に細くなり、その奥部２４の底が尖った所謂コーン形状を成す金網製ポケット部２３と、同じく金属製の環状部材からなる開口縁部２１とが一体に固定されている。
ポケット部２３の素材が金網であるので、そのポケット部２３には、全体に亘り内外を貫通する透孔２２が多数形成されており、各透孔２２は、同一の内径で前記開口縁部２１近くから底部２４に至るまで均等の間隔で配置されている。
【００１８】
前記袋部材１０が前記ポケット部２３の内面に沿って当てがわれ、図３に示すように、前記ポケット部２３の開口縁部２１に、キャップ２５一端の嵌合部２５ａが嵌め込まれて、前記袋部材１０の開口縁部１１を挟み込むように固定する。
また、キャップ２５の他端には、ホース取付用のカプラー２７が備えられており、そのカプラー２７に管継手１６を嵌め込んで、カプラー２７の溝２７ａに前記管継手１６のロック手段１６ａの係合子（図示せず）を係合させれば、ホース２と夾雑物回収装置１とが固定され、排出口２ａからの水が、前記透孔１２，２２を順に通って排出可能な状態となる（図１及び図３参照）。
【００１９】
このとき、各透孔１２，２２を通過できない夾雑物は、それぞれ袋部材１０の内面あるいはポケット部２３の内面に付着し捕捉されることとなるが、この実施例においては、袋部材１０の各透孔１２の内径を、前記ポケット部２３の各透孔２２の内径よりも小さく設定しているので、捕捉される夾雑物は、ポケット部２３の内面に付着するものは比較的少なく、袋部材１０の内面に付着するものが多くなる。
【００２０】
また、同じく、袋部材１０の各透孔１２の内径が、ポケット部２３の各透孔２２の内径よりも小さく設定されているので、排出口２ａから排出される水の流速は、その袋部材１０の透孔１２の内径に応じて変化する。
このため、夾雑物を捕捉、回収する際の流速条件、あるいは捕捉する夾雑物の粒径など諸条件を変えて回収作業を行う際には、異なる内径の透孔１２を有する袋部材１０をいくつか用意し、ストレーナ２０は共用しながらその袋部材１０のみを次々と交換して回収作業を進めれば、重量があり嵩張るストレーナ２０を持ち運びする必要がなく作業性がよい。すなわち、着脱作業が容易であり短時間での夾雑物回収作業が可能である。
また、袋部材１０がストレーナ２０で支持されているので、排出水の水圧により袋部材１０が破れることが防止される。
【００２１】
なお、上記実施例では、捕集部材の構成要素である袋部材１０を網目状の繊維で構成し、ストレーナ２０のポケット部２３を金網（メッシュ）で構成したが、上記実施例以外の袋部材１０、ストレーナ２０も採用可能である。
例えば、袋部材１０としては、可撓性を有し内外を貫通する透孔１２を有する部材であればよく、樹脂製の袋の適宜の箇所に適宜の間隔で透孔１２を形成したものであってもよい。また、ストレーナ２０のポケット部２３としては、例えば、金属板を上記コーン形状に形成して適宜の箇所に適宜の間隔で透孔２２を穿孔したものであってもよい。また、各透孔１２，２２は、それぞれスリット状に形成してもよい。
【００２２】
さらに、上記実施例では、袋部材１０及びストレーナ２０の上記排出口２ａへの固定方法は、ストレーナ２０とキャップ２５との間に袋部材１０を挟んで固定し、そのキャップ２５を介して両者を排出口２ａに固定する手法を採用したが、その他の手法として、例えば、ストレーナ２０を排出口２ａに固定する手段と、袋部材１０を排出口２ａに固定する手段とを別々に設けても良い。また、袋部材１０をストレーナ２０に固定し、そのストレーナ２０を排出口２ａに固定してもよい。
【図面の簡単な説明】
【００２３】
【図１】一実施例の正面図
【図２】図１の捕集部材を示す分解斜視図
【図３】図１の要部拡大図
【図４】従来例の夾雑物回収装置を示す正面図
【図５】従来例の夾雑物回収装置を示す正面図
【符号の説明】
【００２４】
１  夾雑物回収装置
２  排水管（ホース）
３  分岐管
４ａ  補修弁
４ｂ  三方口短管
５  消火栓
６  夾雑物排出装置
７  消火栓桝
８  排出バルブ
９  ハンドル
１０  袋部材
１１，２１  開口縁部
１２，２２  透孔
１３  底部
１６  管継手
１６ａ  ロック手段
２０  ストレーナ
２３  ポケット部
２４  奥部
２５  キャップ
【図１】
0004496182.tif 000002
【図２】
0004496182.tif 000003
【図３】
0004496182.tif 000004
【図４】
0004496182.tif 000005
【図５】
0004496182.tif 000006